(57)【要約】【課題】保管場所、保管料等の保管に伴うコストを低減させた移動用変圧器を提供することにある。【解決手段】変圧器本体１が電気絶縁油と共に収容された変圧器タンク２を備える。変圧器本体１から引き出された一次側コイル口出導体１ａと変圧器タンク２の外部から引き込まれる導体とを接続させる、３相分の一次ブッシング４と３相分の一次ケーブルヘッド５とを設ける。一次側コイル口出導体１ａはケーブルヘッド５の端子５ａと第１の接続導体１０を介してそれぞれ接続される。第１の接続導体１０の途中から分岐した第２の接続導体１１は一次ブッシング４の内側端子４ａにそれぞれ接続される。【選択図】図１
2009038065.tif 000002
【特許請求の範囲】
【請求項１】
変圧器本体が電気絶縁油と共に収容された変圧器タンクを備え、前記変圧器本体から引き出された一次側コイル口出導体と変圧器タンクの外部から引き込まれる導体とを接続させる外部接続手段が設けられた移動用変圧器であって、
前記外部接続手段は３相分の一次ブッシングと３相分の一次ケーブルヘッドとからなり、
前記一次側コイル口出導体が実質的に外部接続手段にそれぞれ電気的に接続された移動用変圧器。
【請求項２】
前記外部接続手段は外部接続手段共通取付容器に取り付けられ、
前記外部接続手段共通取付容器は変圧器タンクに形成された開口部と整合されるように取り付けられ、
前記接続手段共通取付容器は１つのケーブルヘッド収容部と３つのブッシング収容部とを備え、
前記ケーブルヘッド収容部は、その一端に形成された開口部が変圧器タンクに対向するように配置されると共に、その他端に３相分のケーブルヘッドが取り付けられ、
前記ブッシング収容部は、その一端に形成された開口部がケーブルヘッド収容部に形成されたブッシング収容部貫通穴にそれぞれ接続されると共に、その他端にブッシングがそれぞれ取り付けられた請求項１に記載の移動用変圧器。
【発明の詳細な説明】
【技術分野】
【０００１】
本発明は、変電所などの既設電力施設での故障や改良工事等または電力系統での事故の場合に、移動使用可能に構成した移動用変圧器に関するものである。
【背景技術】
【０００２】
移動用変圧器は、例えば、既設変電所内の変圧器等が故障して電力が供給されない事態に、当該変電所に緊急輸送されて直ちに電力を再度供給することを目的するものであり、当該変電所へはトレーラ、トラック等の輸送手段に積載されて移動されるか、または、自走で移動する。
【０００３】
例えば、鉄塔などから送電線が引き込まれている変電所では、この送電線を直接引き込むためのブッシングを取り付けた移動用変圧器が準備される。また、地中ケーブルが敷設されている変電所では、この地中ケーブルと接続させるためのケーブルヘッドを取り付けた移動用変圧器が準備される。ブッシングは一次ブッシングであり、ケーブルヘッドは一次ケーブルヘッドでる。
【０００４】
このようにブッシングが取り付けられている移動用変圧器は、例えば特許文献１に示される。また、ケーブルヘッドが取り付けられている移動用変圧器は、例えば特許文献２に示されている。
【特許文献１】特開２００４−２２１３３３号公報
【特許文献２】特開平１０−２５６０４４号公報
【発明の開示】
【発明が解決しようとする課題】
【０００５】
従来では、既設電力施設の各構成に対応できるように、ブッシングタイプとケーブルヘッドタイプとの２種類の移動用変圧器を準備しなければならないために、２台分の保管場所、保管料等の保管に伴うコストがアップするという問題が生じる。
【０００６】
本発明の目的は、保管場所、保管料等の保管に伴うコストを低減させた移動用変圧器を提供することにある。
【課題を解決するための手段】
【０００７】
第１の発明は、変圧器本体が電気絶縁油と共に収容された変圧器タンクを備え、変圧器本体から引き出された一次側コイル口出導体と変圧器タンクの外部から引き込まれる導体とを接続させる外部接続手段が設けられた移動用変圧器を対象とし、外部接続手段は３相分の一次ブッシングと３相分の一次ケーブルヘッドとからなり、一次側コイル口出導体が実質的に外部接続手段にそれぞれ電気的に接続されるようにしたものである。
【０００８】
第２の発明は、外部接続手段は外部接続手段共通取付容器に取り付けられ、外部接続手段共通取付容器は変圧器タンクに形成された開口部と整合されるように取り付けられ、接続手段共通取付容器は１つのケーブルヘッド収容部と３つのブッシング収容部とを備え、
ケーブルヘッド収容部は、その一端に形成された開口部が変圧器タンクに対向するように配置されると共に、その他端に３相分のケーブルヘッドが取り付けられ、ブッシング収容部は、その一端に形成された開口部がケーブルヘッド収容部に形成されたブッシング収容部貫通穴にそれぞれ接続されると共に、その他端にブッシングがそれぞれ取り付けられるようにしたものである。
【発明の効果】
【０００９】
以上のように、第１の発明によれば、１台の移動用変圧器にブッシングとケーブルヘッドとを設けた構成により、既設電力施設の各構成に対応できるようになったので、保管場所、保管料等の保管に伴うコストの低減を図ることができる。
【００１０】
第２の発明によれば、第１の発明の効果に加えて、接続手段共通取付容器は１つのケーブルヘッド収容部と３つのブッシング収容部とを備え、３つのブッシング収容部をケーブルヘッド収容部に取り付けて連通させる構成により、構成が簡素化されるので、製作に伴うコストの低減を図ることができる。
【発明を実施するための最良の形態】
【００１１】
図１は、本発明に係る移動用変圧器の一実施形態を示す要部概略構成図であり、（Ａ）は縦断面図、（Ｂ）は上面図である。なお、輸送手段等を省略して示している。図示するように、変圧器本体１が変圧器タンク２内に充填された電気絶縁油３と共に収容されている。この変圧器本体１は鉄心、コイル等から構成されている。
【００１２】
変圧器タンク２の側壁２ａには、３相分の一次ブッシング４と３相分の一次ケーブルヘッド５とを取り付けた外部接続手段共通取付容器６が設けられており、接続手段共通取付容器６は例えば、１つの直方体状の変圧器タンク接続用共通筒部６１と、１つの直方体状のケーブルヘッド収容部６２と、３つの円筒状のブッシング収容部６３とからなる。
【００１３】
タンク接続用共通筒部６１には、その一端を変圧器タンク２と接続させるための第１の開口部６１ａが形成され、その他端にケーブルヘッド収容部６２と接続させるための第２の開口部６１ｂが形成されている。
【００１４】
ケーブルヘッド収容部６２には、その一端をタンク接続用共通筒部６１と接続させるための開口部６２ａが形成され、また、その他端に３相分の一次ケーブルヘッド５を取り付けるためのケーブルヘッド貫通穴６２ｂをそれぞれ形成した板状のケーブルヘッド支持部材６２ｃが溶接により取り付けられ、さらに、その上面に３つのブッシング収容部６３を接続させるためのブッシング収容部貫通穴６２ｄがそれぞれ形成されている。
【００１５】
ブッシング収容部６３には、その一端をケーブルヘッド収容部６２と接続させるための開口部６３ａが形成され、他端にブッシング貫通穴６３ｂが形成されている。
【００１６】
タンク接続用共通筒部６１は、その第１の開口部６１ａが変圧器タンク２の側壁２ａに形成された矩形状の開口部２a1と整合されるように溶接により取り付けられている。
【００１７】
ケーブルヘッド収容部６２は、その開口部６２ａがタンク接続用共通筒部６１の第２の開口部６１ｂに溶接により取り付けられた板状のブッシング支持部材７の周縁と整合されるようにフランジ結合により取り付けられている。
【００１８】
ブッシング収容部６３は、その開口部６３ａがケーブルヘッド収容部６２のブッシング収容部貫通穴６２ｄと整合されるようにフランジ結合により取り付けられている。ブッシング支持部材７には、３相分の貫通ブッシング８が取り付けられている。
【００１９】
ケーブルヘッド収容部６２内には、３相分のケーブルヘッド５がケーブルヘッド貫通穴６２ｂに気密・液密にそれぞれ取り付けられて収容され、ブッシング収容部６３には、一次ブッシング４がブッシング貫通穴６３ｂに気密・液密にそれぞれ取り付けられている。
【００２０】
タンク接続用共通筒部６１、ケーブルヘッド収容部６２及びブッシング収容部６３内には、電気絶縁油３が充填されている。
【００２１】
ケーブルヘッド５の端子５ａは、貫通ブッシング８を貫通した貫通導体８ａの第１の端子８a1と第１の接続導体１０を介してそれぞれ接続されている。第１の接続導体１１は第１の接続導体１０の途中から分岐されており、分岐した第２の接続導体１１が一次ブッシング４の内側端子４ａにそれぞれ接続されている。貫通ブッシング８を貫通した貫通導体８ａの第２の端子８a2は、変圧器本体１から引き出された一次側コイル口出導体１ａとそれぞれ接続されている。ブッシング４またはケーブルヘッド５には、変圧器タンク２の外部から引き込まれる、図示しない導体が接続される。
【００２２】
ブッシング収容部６３には、一次ブッシング４の内側端子４ａと第２の接続導体１１とが接続される箇所に対応する位置に図示しないハンドホールが設けられている。
【００２３】
上記の実施形態では、ケーブルヘッド収容部６２を、タンク接続用共通筒部６１を介して変圧器タンク２に取り付けたが、ケーブルヘッド収容部６２を変圧器タンク２に直接取り付けてもよい。この場合、ブッシング支持部材７は変圧器タンク２の側壁２ａに形成された開口部２a1に取り付けられる。
【００２４】
上記の実施形態ではまた、１つのケーブルヘッド収容部６２と３つのブッシング収容部６３とを備え、３つのブッシング収容部６３をケーブルヘッド収容部６２にそれぞれ取り付けて連通させるようにしたが、ケーブルヘッド収容部６２を３つで構成し、このケーブルヘッド収容部６２にブッシング収容部６３をそれぞれ取り付けるようにしてもよい。
【００２５】
上記の実施形態ではさらに、１つのケーブルヘッド収容部６２と３つのブッシング収容部６３とを備え、３つのブッシング収容部６３をケーブルヘッド収容部６２にそれぞれ取り付けて連通させるようにしたが、ケーブルヘッド収容部６２及びブッシング収容部６３を変圧器タンク２に直接、または、タンク接続用共通筒部６１を介して変圧器タンク２に取り付けてもよい。
【図面の簡単な説明】
【００２６】
【図１】本発明に係る移動用変圧器の一実施形態を示す要部概略構成図であり、（Ａ）は縦断面図、（Ｂ）は上面図である。
【符号の説明】
【００２７】
１  変圧器本体
１ａ  一次側コイル口出導体
２  変圧器タンク
４  一次ブッシング
４ａ  一次ブッシングの内側端子
５  一次ケーブルヘッド
５ａ  ケーブルヘッドの端子
１０  第１の接続導体
１１  第２の接続導体
【図１】
2009038065.tif 000003